(57)【特許請求の範囲】
【請求項１】
ウエスト寸法を測るための帯状のウエスト用メジャーと、
股上寸法を測るための帯状の股上用メジャーと、
前記ウエスト用メジャーの一端側が取り付けられるとともに、他端側をスライド移動自在に支持する支持部を有する前支持部材と、
前記ウエスト用メジャーの長手方向にスライド移動自在に装着される後支持部材と
を備え、
前記股上用メジャーは、前記前支持部材と前記後支持部材とに掛け渡されるとともに、前記前支持部材または前記後支持部材のうち少なくとも一方に対してスライド移動自在に支持されており、
前記股上用メジャーにおける長手方向の所定箇所に基準点が表示されるとともに、該基
準点から前側に向けて前股上寸法が表示され、後側に向けて後股上寸法が表示され、
前記前支持部材には、前記ウエスト用メジャーに表示された目盛りを表示可能なウエスト寸法表示部と、前記股上用メジャーに表示された目盛りを表示可能な股上寸法表示部とが設けられており、
前記前支持部材の支持部は、前記ウエスト用メジャーを挿通可能、かつ、互いに離間配置された一対のスリット穴にて構成され、前記ウエスト用メジャーを、前記一対のスリット穴のうち一方に裏側から挿通した後、他方に表側から挿通することで、該一対のスリット間に、前記ウエスト用メジャーに表示された複数の目盛りのうち一目盛りが表示され、
前記前支持部材及び前記後支持部材は、プレート状部材からなり、
前記前支持部材における一対のスリット穴間の真中には各々の一頂点同士を対向させた左右一対の三角印が記されており、前記後支持部材における一対のスリット穴間の真中には各々の一頂点同士を対向させた左右一対の三角印が記されており、前記前支持部材における左右一対の三角印の対向する頂点間を結ぶ仮想のラインおよび前記後支持部材における左右一対の三角印の対向する頂点間を結ぶ仮想のラインが前記ウエスト用メジャーの上端と一致している
ことを特徴とするウエスト測定具。
【請求項２】
前記股上用メジャーにおける前記基準点は、前記股上用メジャーの長手方向の中央よりも前側に設けられており、前記基準点から前方側の端部に向かって１ｃｍ間隔おきに前記前股上寸法の目盛りが前記股上用メジャーに表示されており、前記基準点から後方側の端部に向かって１ｃｍ間隔おきに前記後股上寸法の目盛りが前記股上用メジャーに表示されている
ことを特徴とする請求項１に記載のウエスト測定具。
【発明の詳細な説明】
【技術分野】
【０００１】
本発明は、ウエスト寸法を測るためのウエスト用メジャーを備えるウエスト測定具に関する。
【背景技術】
【０００２】
従来のウエスト測定具は、例えば採寸用ズボン等の採寸用衣服における各部位に、一端が基準点零として固定され、他端が採寸点として移動自由に装着された採寸用メジャーに表された採寸値を読み取ることにより、採寸用ズボン等を着用した状態で使用者のウエスト寸法や股上（股ぐり）寸法等を測ることができるようにしている（例えば、特許文献１参照）。
【０００３】
【特許文献１】特開平２００２−８８５５２号公報（第４頁、第１図）
【発明の開示】
【発明が解決しようとする課題】
【０００４】
しかしながら、特許文献１に記載のウエスト測定具にあっては、各採寸用メジャーが採寸用ズボンに取り付けられているため、ウエストの高さ位置を所望に変更してズボンを着用する場合には、ウエストの高さ位置に応じて股上寸法及びウエスト寸法が変化してしまい、これら寸法を採寸するに際し手間がかかり、特に人手を借りずに採寸することが難しいという問題があった。
【０００５】
本発明は、このような問題点に着目してなされたもので、所望のウエストの高さ位置に対応する股上寸法及びウエスト寸法を簡単に測ることができるウエスト測定具を提供することを目的とする。
【課題を解決するための手段】
【０００６】
前記課題を解決するために、本発明の請求項１に記載のウエスト測定具は、
ウエスト寸法を測るための帯状のウエスト用メジャーと、
股上寸法を測るための帯状の股上用メジャーと、
前記ウエスト用メジャーの一端側が取り付けられるとともに、他端側をスライド移動自在に支持する支持部を有する前支持部材と、
前記ウエスト用メジャーの長手方向にスライド移動自在に装着される後支持部材と、
を備え、
前記股上用メジャーは、前記前支持部材と前記後支持部材とに掛け渡されるとともに、前記前支持部材または前記後支持部材のうち少なくとも一方に対してスライド移動自在に支持されていることを特徴としている。
この特徴によれば、前支持部材により環状に保持されたウエスト用メジャーの前後の支持部材に股上用メジャーが前後方向に掛け渡されることで、ウエスト用メジャーと股上用メジャーとが正面視略Ｔ字状に一体化されるので、股上用メジャーを跨ぐようにウエスト用メジャーに脚を入れてウエスト周りに装着し、この状態で所望のウエストの高さ位置に対応する股上寸法及びウエスト寸法を、人手を借りることなく簡単に測ることができる。
【０００７】
本発明の請求項２に記載のウエスト測定具は、請求項１に記載のウエスト測定具であって、
前記股上用メジャーにおける長手方向の所定箇所に基準点が表示されるとともに、該基準点から前側に向けて前股上寸法が表示され、後側に向けて後股上寸法が表示されていることを特徴としている。
この特徴によれば、基準点を基準として前股上寸法と後股上寸法とをそれぞれ設定した状態でウエスト寸法を測ることができるため、より正確なウエスト寸法を測ることができる。
【０００８】
本発明の請求項３に記載のウエスト測定具は、請求項１または２に記載のウエスト測定具であって、
前記前支持部材には、前記ウエスト用メジャーに表示された目盛りを表示可能なウエスト寸法表示部と、前記股上用メジャーに表示された目盛りを表示可能な股上寸法表示部と、が設けられていることを特徴としている。
この特徴によれば、使用者はウエスト測定具を装着した状態で、所望の股上寸法に対応するウエスト寸法を目視により確認することができる。
【０００９】
本発明の請求項４に記載のウエスト測定具は、請求項１ないし３のいずれかに記載のウエスト測定具であって、
前記前支持部材の支持部は、前記ウエスト用メジャーを挿通可能、かつ、互いに離間配置された一対のスリット穴にて構成され、前記ウエスト用メジャーを、前記一対のスリット穴のうち一方に裏側から挿通した後、他方に表側から挿通することで、該一対のスリット間に、前記ウエスト用メジャーに表示された複数の目盛りのうち一目盛りが表示されることを特徴としている。
この特徴によれば、ウエスト用メジャーの他端側を簡単な構成でスライド移動自在に支持できるだけでなく、目盛りを表示する寸法表示部としても機能する。
【００１０】
本発明の請求項５に記載のウエスト測定具は、請求項１ないし４のいずれかに記載のウエスト測定具であって、
前記前支持部材及び前記後支持部材はプレート状部材からなることを特徴としている。
この特徴によれば、前支持部材及び後支持部材が嵩張ることなく、コンパクトに折り畳んで収納することができる。
【発明を実施するための最良の形態】
【００１１】
本発明に係るウエスト測定具を実施するための最良の形態を実施例に基づいて以下に説明する。
【実施例】
【００１２】
本発明の実施例を図面に基づいて説明すると、先ず図１は、本発明の実施例におけるウエスト測定具の全体像を示す斜視図である。図２は、ウエスト用メジャーの一端側が取り付けられた前支持部材の正面図である。図３（ａ）は、股上位置を定めた状態における前支持部材の正面図であり、（ｂ）は、股上位置を定めた状態における後支持部材の背面図である。図４は、股上位置を定めた状態においてウエスト寸法の測定状態を示す正面図である。以下、図３（ａ）の紙面手前側をウエスト測定具の前方（正面）側とし、上側をウエスト測定具の上方側とし、下側をウエスト測定具の下方側とし、右側をウエスト測定具の右方側とし、左側をウエスト測定具の左方側とし、図３（ｂ）の紙面手前側をウエスト測定具の後方（背面）側として説明する。
【００１３】
図１に示されるように、ウエスト測定具１は、ウエスト寸法を測るための帯状のウエスト用メジャー２と、股上寸法を測るための帯状の股上用メジャー３と、ウエスト用メジャー２及び股上用メジャー３が装着される前支持部材４及び後支持部材５と、を備えている。
【００１４】
図１及び図２に示されるように、ウエスト用メジャー２は、その一端である端部２ａの至端を０（ｃｍ）とし、他端である端部２ｂに向かって１ｃｍ間隔おきに目盛り（０１，０２，・・・，１２０）がウエスト用メジャー２に表示されている。
【００１５】
一方、図１に示されるように、股上用メジャー３には、その長手方向の中央よりも前側に基準点Ｂが設けられており、基準点Ｂは、図中目盛り０１と目盛り０１との境界、すなわち図中黒塗矢印に示される目盛り線上に位置している。この基準点Ｂを０（ｃｍ）とし、該基準点から前方側の端部３ａに向かって１ｃｍ間隔おきに前股上寸法の目盛り（０１，０２，・・・）が股上用メジャー３に表示されており、基準点Ｂから後方側の端部３ｂに向かって１ｃｍ間隔おきに後股上寸法の目盛り（０１，０２，・・・，４０）が股上用メジャー３に表示されている。
【００１６】
前支持部材４及び後支持部材５は肉厚が比較的薄いプレート状部材からなっており、図３（ａ）及び図３（ｂ）に示されるように、この前支持部材４及び後支持部材５により、ウエスト用メジャー２と股上用メジャー３とが支持されて正面視略Ｔ字状に一体化されている。
【００１７】
このように、前支持部材４及び後支持部材５はプレート状部材からなっているため、前支持部材４及び後支持部材５が嵩張ることなく、コンパクトに折り畳んで収納することができる。
【００１８】
図２に示されるように、前支持部材４には、互いに左右に離間配置された支持部としてのスリット穴４ａ及び一対のスリット穴４ｂ，４ｃと、互いに上下に離間配置された一対のスリット穴４ｄ，４ｅ及びスリット穴４ｆと、が形成されており、スリット穴４ａ，４ｂ，４ｃは、ウエスト用メジャー２を挿通可能にするとともに、スリット穴４ｄ，４ｅ，４ｆは、股上用メジャー３を挿通可能にしている。また、一対のスリット穴４ｂとスリット穴４ｃとの間には、ウエスト寸法表示部Ｗとして後述のようにウエスト寸法が表示されるように成っている。更に、一対のスリット穴４ｄとスリット穴４ｅとの間には、前股上寸法表示部Ｃとして後述のように前股上寸法が表示されるように成っている。
【００１９】
尚、図３（ａ）に示されるように、スリット穴４ａ，４ｂ，４ｃの穴幅寸法（図示上下寸法）は、ウエスト用メジャー２の幅寸法（図示上下寸法）よりも夫々若干幅広であり、スリット穴４ｄ，４ｅ，４ｆの穴幅寸法（図示左右寸法）は、股上用メジャー３の幅寸法（図示左右寸法）よりも夫々若干幅広である。
【００２０】
図３（ｂ）に示されるように、後支持部材５には、互いに左右に離間配置された一対のスリット穴５ａ，５ｂと、互いに上下に離間配置されたスリット穴５ｄ，５ｅ，５ｆと、が形成されており、スリット穴５ａ，５ｂは、ウエスト用メジャー２を挿通可能にするとともに、スリット穴５ｄ，５ｅ，５ｆは、股上用メジャー３を挿通可能にしている。また、一対のスリット穴５ｄとスリット穴５ｅとの間には、後股上寸法表示部Ｃ’として後述のように後股上寸法が表示されるように成っている。
【００２１】
尚、スリット穴５ａ，５ｂの穴幅寸法（図示上下寸法）は、ウエスト用メジャー２の幅寸法（図示上下寸法）よりも夫々若干幅広であり、スリット穴５ｄ，５ｅ，５ｆの穴幅寸法（図示左右寸法）は、股上用メジャー３の幅寸法（図示左右寸法）よりも夫々若干幅広である。
【００２２】
図２に示されるように、ウエスト用メジャー２の端部２ａは、前支持部材４の背面側におけるスリット穴４ｂとスリット穴４ｃとの間の位置に固着して取り付けられ、この位置を基準点としてウエスト寸法を計測するようになっている。
【００２３】
図２及び図３（ａ）に示されるように、ウエスト用メジャー２の端部２ｂは、スリット穴４ａに前方側（前支持部材４の表側）から後方側（前支持部材４の裏側）に向かって挿通され、次にスリット穴４ａに挿通された端部２ｂが、スリット穴４ｂに後方側（前支持部材４の裏側）から前方側（前支持部材４の表側）に向かって挿通された後、更にスリット穴４ｂに挿通された端部２ｂが、スリット穴４ｃに前方側（前支持部材４の表側）から後方側（前支持部材４の裏側）に向かって挿通されることにより、ウエスト用メジャー２が環状に保持され、ウエスト用メジャー２が前支持部材４に対して支持された状態で、ウエスト用メジャー２が長手方向（図示左右方向）にスライド移動自在になっている。
【００２４】
本実施例では、スリット穴４ｂとスリット穴４ｃとの左右方向の間隔が１ｃｍとされており、図３（ａ）に示されるように、端部２ｂ側が、スリット穴４ｂに後方側（前支持部材４の裏側）から前方側（前支持部材４の表側）に向かって挿通された後、スリット穴４ｂに挿通された端部２ｂがスリット穴４ｃに前方側（前支持部材４の表側）から後方側（前支持部材４の裏側）に向かって挿通されているため、スリット穴４ｂとスリット穴４ｃとの間で、ウエスト用メジャー２が前支持部材４よりも前方側に位置し、ウエスト用メジャー２における各目盛りが１ｃｍ間隔である複数の目盛りのうち一目盛りが前方側から視認可能に表示される。端部２ａは、前支持部材４の背面側におけるスリット穴４ｂとスリット穴４ｃとの間に固着して取り付けられるため、ウエスト寸法表示部Ｗにおいて、ウエスト用メジャー２をスライド移動し、図中上下一対の白抜三角印の間で表示された目盛りと端部２ａを重ねることにより、ウエスト寸法表示部Ｗにおいて表示された目盛りが、ウエスト寸法として示される。
【００２５】
よって、一対のスリット穴４ｂ及びスリット穴４ｃは、ウエスト用メジャー２の端部２ｂを簡単な構成でスライド移動自在に支持できるだけでなく、この一対のスリット穴４ｂ及びスリット穴４ｃの間が、目盛りを表示する寸法表示部としても機能する。
【００２６】
図１及び図３（ａ）に示されるように、股上用メジャー３の端部３ａ側は、スリット穴４ｆに前方側（前支持部材４の表側）から後方側（前支持部材４の裏側）に向かって挿通され、次にスリット穴４ｆに挿通された端部３ａが、スリット穴４ｅに後方側（前支持部材４の裏側）から前方側（前支持部材４の表側）に向かって挿通された後、更にスリット穴４ｅに挿通された端部３ａがスリット穴４ｄに前方側（前支持部材４の表側）から後方側（前支持部材４の裏側）に向かって挿通されることにより、股上用メジャー３が前支持部材４に対して支持された状態で、股上用メジャー３の端部３ａ側が長手方向（図示上下方向）にスライド移動自在になっている。尚、図１に示されるように、スリット穴４ｄに挿通された端部３ａ側は、前支持部材４とウエスト用メジャー２との間を貫通して、股上用メジャー３本体に対して下方に折り返されている。
【００２７】
図２に示されるように、本実施例では、スリット穴４ｄとスリット穴４ｅとの上下方向の間隔が１ｃｍとされており、端部３ａ側が、スリット穴４ｅに後方側（前支持部材４の裏側）から前方側（前支持部材４の表側）に向かって挿通され、スリット穴４ｅに挿通された端部３ａがスリット穴４ｄに前方側（前支持部材４の表側）から後方側（前支持部材４の裏側）に向かって挿通されるため、図３（ａ）に示されるように、スリット穴４ｄとスリット穴４ｅとの間で、股上用メジャー３が前支持部材４よりも前方側（前支持部材４の表側）に位置し、股上用メジャー３における各目盛りが１ｃｍ間隔である複数の目盛りのうち一目盛りが前方側から視認可能に表示される。前股上寸法表示部Ｃにおいて、図中左右一対の白抜三角印の間で表示された目盛りが前股上寸法として表示される。すなわち、基準点Ｂから前方側に向けて前股上寸法表示部Ｃまでの寸法が前股上寸法として示される。
【００２８】
図３（ｂ）に示されるように、後支持部材５において、ウエスト用メジャー２は、スリット穴５ａに後方側から前方側に向かって挿通された後、スリット穴５ａに挿通されたウエスト用メジャー２がスリット穴５ｂに前方側から後方側に向かって挿通されるため、ウエスト用メジャー２が後支持部材５に対して支持された状態で、ウエスト用メジャー２が長手方向（図示左右方向）にスライド移動自在になっている。
【００２９】
更に、後支持部材５において、股上用メジャー３の端部３ｂ側は、スリット穴５ｆに後方側から前方側に向かって挿通され、次にスリット穴５ｆに挿通された端部３ｂが、スリット穴５ｅに前方側から後方側に向かって挿通された後、更にスリット穴５ｅに挿通された端部３ｂがスリット穴５ｄに後方側から前方側に向かって挿通されることにより、股上用メジャー３が後支持部材５に対して支持された状態で、股上用メジャー３の端部３ｂ側が長手方向（図示上下方向）にスライド移動自在になっている。尚、図１に示されるように、スリット穴５ｄに挿通された端部３ｂ側は、後支持部材５とウエスト用メジャー２との間を貫通して、股上用メジャー３本体に対して下方に折り返されている。
【００３０】
また、図３（ｂ）に示されるように、本実施例では、スリット穴５ｄとスリット穴５ｅとの上下方向の間隔が１ｃｍとされており、端部３ｂ側が、スリット穴５ｅに前方側から後方側に向かって挿通され、スリット穴５ｅに挿通された端部３ｂがスリット穴５ｄに後方側から前方側に向かって挿通されるため、スリット穴５ｄとスリット穴５ｅとの間で、股上用メジャー３が後支持部材５よりも後方側に位置し、股上用メジャー３における各目盛りが１ｃｍ間隔である複数の目盛りのうち一目盛りが後方側から視認可能に表示される。後股上寸法表示部Ｃ’において、図中左右一対の白抜三角印の間で表示される。すなわち、基準点Ｂから後方側に向けて後股上寸法表示部Ｃ’までの寸法が後股上寸法として示される。
【００３１】
図３（ａ）及び図３（ｂ）に示されるように、前股上寸法表示部Ｃの図中左右一対の白抜三角印を結ぶ仮想のラインが、ウエスト用メジャー２の上端２ｃとほぼ一致しており、後股上寸法表示部Ｃ’の図中左右一対の白抜三角印を結ぶ仮想のラインが、ウエスト用メジャー２の上端２ｃとほぼ一致しているため、ウエスト用メジャー２の上端２ｃを所望の位置に配置することで、ウエスト測定具１は、股上寸法（前股上寸法及び後股上寸法）に対応したウエスト寸法を測定することができるようになっている。
【００３２】
次に、ウエスト寸法及び股上寸法の測定について説明する。
【００３３】
通常のズボン等においては、股部の左右方向における中央部を前後方向に第１の縫い目が亘り、且つ股部の下端部を左右方向に第２の縫い目が亘っており、これら第１及び第２の縫い目は、股部の下端部中央において十字に交差している。本実施例では、これら縫い目の交差部分から第１の縫い目に沿って股部の前側中央の上端までの寸法を前股上寸法とし、縫い目の交差部分から第１の縫い目に沿って股部の後側中央の上端までの寸法を後股上寸法として説明する。また、股上寸法とは、上記した縫い目の交差部分から股部の前後を問わず上端までの寸法とする。
【００３４】
また、本実施例でウエスト寸法とは、使用者がズボン等を着用する場合に、使用者が所望するウエストの高さ位置にウエスト用メジャー２の上端２ｃを合わせ、この高さ位置において採寸したウエストの寸法とする。本実施例では、使用者が所望するウエストの高さ位置として、下着Ｕの上端よりもやや下方の高さ位置を示しているが、所望するウエストの高さ位置は、例えばヒップに近い高さ位置であってもよいし、腹部に近い高さ位置であってもよい。
【００３５】
図３（ａ）、（ｂ）に示されるように、両足を股上用メジャー３に跨るように、ウエスト用メジャー２が使用者の腰部に対して弛緩した状態でウエスト測定具１を着用し、基準点Ｂの位置を、下着Ｕの股部における、前記したズボン等の縫い目の交差部分に相当する部分に合わせる。そして、股上用メジャー３に対し、前支持部材４及び後支持部材５を上下にスライド移動して調整しながら、使用者の腰部前後に夫々当接した状態で、ウエスト用メジャー２の上端２ｃを所望のウエストの高さ位置に配置し、位置決めを行う。
【００３６】
このように、所望のウエストの高さ位置を位置決めすることで、前股上寸法及び後股上寸法が定められ、前股上寸法表示部Ｃ及び後股上寸法表示部Ｃ’に表示された目盛りを目視することで、前股上寸法及び後股上寸法を確認することができる。
【００３７】
次いで、図４に示されるように、図中矢印方向にウエスト用メジャー２の端部２ｂをスライド移動し、ウエスト用メジャー２を使用者のウエストの周囲に亘って当接させる。これにより、ウエスト寸法が定められ、使用者はウエスト測定具１を装着した状態で、ウエスト寸法表示部Ｗに表示された目盛りを目視することで、ウエスト寸法を確認することができる。
【００３８】
上記測定において、基準点Ｂを基準として、ウエスト用メジャー２の上端２ｃを所望のウエストの高さ位置に配置した状態、すなわち前股上寸法と後股上寸法とをそれぞれ設定した状態でウエスト寸法を測ることができるため、より正確なウエスト寸法を測ることができる。
【００３９】
以上の説明により、前支持部材４及び後支持部材５により環状に保持されたウエスト用メジャー２の前後の前支持部材４及び後支持部材５に股上用メジャー３が前後方向に掛け渡されることで、ウエスト用メジャー２と股上用メジャー３とが正面視略Ｔ字状に一体化されるので、股上用メジャー３を跨ぐようにウエスト用メジャー２に脚を入れてウエスト周りに装着し、この状態で所望のウエストの高さ位置に対応する股上寸法（前股上寸法及び後股上寸法）及びウエスト寸法を、人手を借りることなく簡単に測ることができる。
【００４０】
次に変形例を以下に説明する。
【変形例】
【００４１】
図５は、変形例におけるウエスト測定具を示す斜視図である。尚、実施例と同一の構成部位には同一の符号を付し、重複する構成の説明を省略する。
【００４２】
前記実施例のウエスト測定具１において、股上用メジャー３の端部３ｂ側は、後支持部材５によりスライド移動自在になっているが、股上用メジャーは、少なくともその前側端部が前支持部材に対してスライド移動自在に支持されていれば、後側の端部は、後支持部材に対してスライド移動不能に取り付けられていてもよい。
【００４３】
具体的には、図５に示される変形例のウエスト測定具１’のように、股上用メジャー３’の後側の端部３ｂ’を、ウエスト用メジャー２の長手方向にスライド移動自在に装着された後支持部材６の上端６ａに合わせて固定的に取り付け、この端部３ｂ（上端６ａ）を基準点０（ｃｍ）とし、股上用メジャー３’の後側の端部３ｂ’から前側の端部３ａ’に向かって１ｃｍ間隔おきに目盛り（０１，０２・・・）を表示する。
【００４４】
そして、この本変形例のウエスト測定具１’では、下着Ｕの股部における、前記したズボン等の縫い目の交差部分に相当する部分と当接している股上用メジャー３’の目盛りＸを目視により確認する。つまり、この目盛りＸが後股上寸法となる。次いで、前股上寸法表示部Ｃに表示された目盛りＹを目視により確認し、該目盛りＹから目盛りＸを減算した値（Ｘ−Ｙ）が前股上寸法となる。
【００４５】
このように、股上用メジャー３’の後側の端部３ｂ’を後支持部材６に固定して基準位置とし、前側の端部３ａ’を前支持部材４に対してスライド移動自在に支持しても、上記のように股部の目盛りＸと、表示部Ｃに表示された目盛りＹとを目視により確認し、上記のように目盛りＹから目盛りＸを減算した値（Ｘ−Ｙ）を算出すれば、前股上寸法と後股上寸法とを測定することができる。また、特に前股上寸法と後股上寸法とを算出しなくても、全体の股上寸法（目盛りＹ）を確認できれば、該股上寸法に対応するウエスト寸法を測定することができる。
【００４６】
以上、本発明の実施例及び変形例を図面により説明してきたが、具体的な構成はこれら実施例及び変形例に限られるものではなく、本発明の要旨を逸脱しない範囲における変更や追加があっても本発明に含まれる。
【００４７】
例えば、前記実施例及び前記変形例では、ウエスト用メジャー２をスライド移動するための３つのスリット穴４ａ、４ｂ、４ｃと、股上用メジャー３をスライド移動するための３つのスリット穴４ｄ、４ｅ、４ｆと、が前支持部材４に形成されているが、ウエスト用メジャー及び股上用メジャーがスライド移動自在であれば、例えば、前支持部材は、ウエスト用メジャー及び股上用メジャーをスライド移動自在にするスリット穴が２つずつ形成されたものであってもよい。同様に、前記実施例の後支持部材５に、股上用メジャー３をスライド移動するための３つのスリット穴４ｄ、４ｅ、４ｆが形成されているが、例えば、後支持部材は、股上用メジャーをスライド移動自在にするためのスリット穴が２つ形成されたものであってもよい。
【図面の簡単な説明】
【００４８】
【図１】本発明の実施例におけるウエスト測定具の全体像を示す斜視図である。
【図２】ウエスト用メジャーの一端側が取り付けられた前支持部材の正面図である。
【図３】（ａ）は、股上位置を定めた状態における前支持部材の正面図であり、（ｂ）は、股上位置を定めた状態における後支持部材の背面図である。
【図４】股上位置を定めた状態においてウエスト寸法の測定状態を示す正面図である。
【図５】変形例におけるウエスト測定具の全体像を示す斜視図である。
【符号の説明】
【００４９】
１                ウエスト測定具
２                ウエスト用メジャー
２ａ              端部（ウエスト用メジャーの一端）
２ｂ              端部（ウエスト用メジャーの他端）
３                股上用メジャー
４                前支持部材
４ｂ、４ｃ        スリット穴
４ｄ、４ｅ        スリット穴
５                後支持部材
Ｃ                前股上寸法表示部
Ｃ’              後股上寸法表示部
Ｗ                ウエスト寸法表示部
Ｂ                基準点
【図１】
0005152907.tif 000002
【図２】
0005152907.tif 000003
【図３】
0005152907.tif 000004
【図４】
0005152907.tif 000005
【図５】
0005152907.tif 000006